(57)【特許請求の範囲】
【請求項１】
第１内容液（Ａ）を収納する有底筒状の胴筒部（２）の上端に連設した口筒部（３）に、筒状の第１キャップ体（４）を着脱可能に組み付けた第１容器体（１）と、第２内容液（Ｂ）を収納する有底筒状の胴部（１２）の上端に連設した口部（１３）に、筒状の第２キャップ体（１４）を着脱可能に組み付けた第２容器体（１１）とから構成し、前記第１キャップ体（４）に第２容器体（１１）を吊り下げ状に取り付け、前記第１キャップ体（４）に、横方向に延出する第１吐出ノズル（８）を設けると共に、外気置換用の第１通気孔（９）を開設し、前記第２キャップ体（１４）上に、有頂円筒状の回動ヘッド（１８）を密に回動可能に組み付け、該回動ヘッド（１８）に、横方向に延出する第２吐出ノズル（２１）を設けると共に、外気置換用の第２通気孔（２２）を開設したことを特徴とする二液吐出容器。
【請求項２】
第１キャップ体（４）に対する第２容器体（１１）の吊り下げ状の取り付けを、前記第１キャップ体（４）の筒状の主体部（５）の上端に、内鍔状の頂板（６）を介して筒状の起立筒（１０）を連設し、該起立筒（１０）の上端に第２容器体（１１）の口部（１３）を一体に連設して達成した請求項１に記載の二液吐出容器。
【請求項３】
第２キャップ体（１４）に対する回動ヘッド（１８）の密で回動可能な組付きを、前記回動ヘッド（１８）の円筒状をした本体筒（１９）の外周に、前記第２キャップ体（１４）の上端部を覆って回動可能にアンダーカット結合する結合筒片（２０）を設けて達成した請求項１または２に記載の二液吐出容器。
【発明の詳細な説明】
【技術分野】
【０００１】
本発明は、２種類の内容液を分別した状態で一体的に収納し、必要時にそれぞれの内容液を個々にまたは同時に吐出させることを可能とした二液吐出容器に関するものである。
【背景技術】
【０００２】
二液吐出容器の従来技術として、例えば特許文献１には、第１の内容液を収納した第１の容器体と、第２の内容液を収納した第２の容器体を設け、両容器体のキャップに内容液吐出用のノズルを起立設し、この両容器体を並列に結合して構成した二液吐出容器が開示されている。
【０００３】
この特許文献１に開示された従来技術は、二液吐出容器を倒立させることにより、両ノズルから内容液を同時に吐出させ、両内容液は吐出されると直ちに混合状態となるようにされている。
【先行技術文献】
【特許文献】
【０００４】
【特許文献１】実公平０２−０２２０５０号公報
【発明の概要】
【発明が解決しようとする課題】
【０００５】
しかしながら、特許文献１に記載された従来技術にあっては、各容器体はそれぞれが独立した収納容器であるので、構造的には内容液を単独で吐出することができるのであるが、このように一方の容器体だけから内容液を吐出させようとする場合には、他方の容器体を、内容液吐出不能状態にするために栓体や中栓を組み付ける必要があり、その取扱いが面倒である、と云う問題があった。
【０００６】
また、上記した従来技術に示された容器は、二つの容器体を並列結合して構成するものであるが、この二つの容器体を並列結合した構成は、両容器体が対等に位置するので、この状態が外観として明確に認識できるものとなり易く、このため単純でシンプルな外観体裁を得ることが難しい、と云う問題があった。
【０００７】
そこで、本発明は、上記した従来技術における問題点を解消すべく創案されたもので、二つの容器体からの内容液の吐出の切換えを容易にすると共に、容器の外観体裁をシンプルにすることを技術的課題とし、もって内容液の吐出操作を簡単なものとすると共に、容器の外観体裁をシンプルで好ましいものとする、ことを目的とするものである。
【課題を解決するための手段】
【０００８】
上記課題を解決する本発明の手段の主たる構成は、
第１内容液を収納する有底筒状の胴筒部の上端に連設した口筒部に、筒状の第１キャップ体を着脱可能に組み付けた第１容器体と、第２内容液を収納する有底筒状の胴部の上端に連設した口部に、筒状の第２キャップ体を着脱可能に組み付けた第２容器体とから構成すること、
第１キャップ体に第２容器体を吊り下げ状に取り付けること、
第１キャップ体に、横方向に延出する第１吐出ノズルを設けると共に、外気置換用の第１通気孔を開設すること、
第２キャップ体上に、有頂円筒状の回動ヘッドを密に回動可能に組み付けること、
この回動ヘッドに、横方向に延出する第２吐出ノズルを設けると共に、外気置換用の第２通気孔を開設すること、
にある。
【０００９】
内容液の吐出は、内容液を収納した容器体の吐出ノズルの延出方向側に容器を傾けて、内容液の自然流下により達成される。それゆえ、第１吐出ノズルと第２吐出ノズルの延出方向が異なる場合には、それぞれの吐出ノズルの延出方向側に容器を傾けることにより、各内容液を別々に吐出することができ、第１吐出ノズルと第２吐出ノズルの延出方向が同一である場合には、その延出方向側に容器を傾けることにより、両吐出ノズルからそれぞれの内容液が同時に吐出される。
【００１０】
第２吐出ノズルは、第２容器体に回動可能に組み付けられた回動ヘッドに、第１吐出ノズルと同様に、横方向に延出した構成で設けられているので、回動ヘッドを回動操作することにより、第２吐出ノズルの延出方向を、全周範囲で変更調整することができ、これにより両内容液の吐出形態を切換える。
【００１１】
第１キャップ体に第２容器体を吊り下げ状に取り付けているので、第２容器体は第１容器体内に吊り下げ状に位置する、すなわち第２容器体は第１容器体内に収納された状態となっている。
【００１２】
本発明の別の構成は、上記した主たる構成に、第１キャップ体に対する第２容器体の吊り下げ状の取り付けを、第１キャップ体の筒状の主体部の上端に、内鍔状の頂板を介して筒状の起立筒を連設し、この起立筒の上端に第２容器体の口部を一体に連設して達成した、ことを加えたものである。
【００１３】
第１キャップ体の筒状の主体部の上端に、内鍔状の頂板を介して筒状の起立筒を連設し、この起立筒の上端に第２容器体の口部を一体に連設したものにあっては、第１キャップ体と第２容器体の組み合わせを、一体構造物に構成することが可能となる。
【００１４】
また、本発明の別の構成は、上記した主たる構成に、第２キャップ体に対する回動ヘッドの密で回動可能な組付きを、回動ヘッドの円筒状をした本体筒の外周に、第２キャップ体の上端部を覆って回動可能にアンダーカット結合する結合筒片を設けて達成した、ことを加えたものである。
【００１５】
回動ヘッドの円筒状をした本体筒の外周に、第２キャップ体の上端部を覆って回動可能にアンダーカット結合する結合筒片を設けたものにあっては、第２吐出ノズルを設けた回動ヘッドの第２キャップ体への回動可能な組み付けを、第２吐出ノズルに邪魔されることなく、かつ第２吐出ノズルの回動変位に支障を生じることなく達成することができる。
【発明の効果】
【００１６】
本発明は、上記した構成となっているので、以下に示す効果を奏する。
本発明における二液吐出容器の主たる構成においては、第２吐出ノズルの横方向への延出を、全周範囲で変更調整することにより両内容液の吐出形態の変更切換えを簡単にでき、これにより両内容液の適正な吐出状態を簡単に得ることができる。
【００１７】
また、第２容器体は第１容器体内に収納された状態となっているので、容器全体の外観は、回動ヘッド等の一部を除いて第１容器体が形成することになり、これにより好ましいシンプルな外観体裁を得ることが容易となる。
【００１８】
第１キャップ体の筒状の主体部の上端に、内鍔状の頂板を介して筒状の起立筒を連設し、この起立筒の上端に第２容器体の口部を一体に連設したものにあっては、第１キャップ体と第２容器体の組み合わせを、一体構造物に構成することが可能となるので、容器を構成する部品点数を少なくすることができ、これにより構造が簡単となると共に、取扱いが容易となり、さらに製造単価の低減を得ることができる。
【００１９】
回動ヘッドの円筒状をした本体筒の外周に、第２キャップ体の上端部を覆って回動可能にアンダーカット結合する結合筒片を設けたものにあっては、第２吐出ノズルを設けた回動ヘッドの第２キャップ体への回動可能な組み付けを、第２吐出ノズルの回動変位に支障を生じることなく達成することができるので、簡単な構造で、第２吐出ノズルの円滑で操作し易い回動動作を得ることができる。
【図面の簡単な説明】
【００２０】
【図１】本発明の一実施形態例を示す、全体縦断面図である。
【図２】図１図示実施形態例の、要部縦断拡大図である。
【図３】図１図示実施形態例の、第１内容液の吐出状態を示す縦断面図である。
【図４】図１図示実施形態例の、第２内容液の吐出状態を示す縦断面図である。
【図５】図１図示実施形態例の、両内容液の同時吐出状態を示す縦断面図である。
【発明を実施するための形態】
【００２１】
以下、本発明の一実施形態例を、図１〜図５を参照しながら説明する。
本発明による二液吐出容器は、合成樹脂製の第１容器体１と、同じく合成樹脂製の第２容器体１１とから構成し、第１容器体１は、第１内容液Ａ（例えば醤油）を収納する有底筒状をした胴筒部２の上端に設けた口筒部３に、第１キャップ体４を密に着脱可能に組み付けて構成され、第２容器体１１は、第２内容液Ｂ（例えばラー油）を収納する有底筒状をした胴部１２の上端に設けた口部１３に、第２キャップ体１４を密に着脱可能に組み付け、この第２キャップ体１４に密にかつ回動可能に回動ヘッド１８を組み付けて構成されている。
なお、以下の説明においては、第１容器体１の口筒部３と底部との間に沿う方向を上下方向とする。
【００２２】
第１容器体１の本体部分は、有底円筒形状をした胴筒部２の上端の、内鍔状の肩部を介して外周面に螺条を刻設した口筒部３を起立連設して構成されている。この口筒部３に着脱可能に組み付けられる第１キャップ体４は、下半分を口筒部３内に密嵌入させる円筒形状をした主体部５の外周面中央部から、外鍔片を介して、内周面に口筒部３の螺条に螺合する螺条を刻設した組付き筒部７を連設し、主体部５の上端に内鍔状の頂板６を介して起立筒１０を起立連設している。この主体部５には第１吐出ノズル８が、横方向に延出状に設けられており、この第１吐出ノズル８よりも上位に位置する起立筒１０の上端部分に、外気置換用の第１通気孔９が開設されている。
【００２３】
第２容器体１１の本体部分は、有底円筒形状をした胴部１２の上端の、外鍔状の肩部を介して、外周面に螺条を刻設した口部１３を起立連設して構成されている。この第２容器体１１の口部１３に着脱可能に組み付けられる第２キャップ体１４は、口部１３内に密嵌入させる円筒形状をした主体筒１５の上端から外鍔状の頂壁１６を介して、内周面に口部１３の螺条に螺合する螺条を刻設した組付き筒１７を連設している。この第２キャップ体１４の上端部を覆う構成で密にかつ回動可能に組み付く有頂円筒形状の回動ヘッド１８は、有頂円筒形状をした本体筒１９の外周面下部に、第２キャップ体１４の主体筒１５の上端部に外嵌して、回動可能にアンダーカット結合する結合筒片２０（図２参照）を有し、この結合筒片２０よりも上位の主体筒１５部分には、第２吐出ノズル２１が、横方向に延出状に設けられており、この第２吐出ノズル２１よりも上位に位置する本体筒１９の上端部分に、外気置換用の第２通気孔２２が開設されている。
【００２４】
回動ヘッド１８の本体筒１９の下端部は、第２キャップ体１４の主体筒１５内に密にかつ回動可能に嵌入している。この第２キャップ体１４と回動ヘッド１８の間のシールは、主体筒１５と本体筒１９の間や、頂壁１６と結合筒片２０を連設している外鍔状部分の間に、細かい複数のシール条を設ける等の手段を講じることにより、確実に達成される。
【００２５】
図示実施形態例の場合、第１キャップ体４の起立筒１０の上端を、第２容器体１１の口部１３の下端に連設した構成（図１参照）となっており、これにより第１キャップ体４と第２容器体１１とは一体物となっている。このため、第１キャップ体４を第１容器体１に組み付けると、この組み付けにより第２容器体１１の第１容器体１に対する吊り下げ状の組み付けが、必然的に達成されることになる。このことは、二液吐出容器を構成する部品点数を少なくして、部品管理を容易にすると共に、各構成部分の組立て処理操作が容易となることを意味している。
【００２６】
次に、図示実施形態例の組み立て手順例を説明する。
第１容器体１への第１内容液Ａの収納は、第１キャップ体４を取り外した状態の胴筒部２に、所望量の第１内容液Ａを注入して達成する。同様にして、第２容器体１１への第２内容液Ｂの収納は、第２キャップ体１４を取り外した状態の胴部１２に、所望量の第２内容液Ｂを注入して達成する。なお、第２容器体１１への第２内容液Ｂの収納は、回動ヘッド１８を取り外した状態で第２内容液Ｂを収納し、しかる後、第２キャップ体１４に回動ヘッド１８を打栓状に組み付けてもよい。
【００２７】
第１容器体１と第２容器体１１の組み付けは、第１キャップ体４に第２容器体１１の胴部１２が一体設されているので、第１キャップ体４を、第１内容液Ａを収納した第１容器体１の口筒部３に組み付けることにより達成される。この際、第２容器体１１に対する第２内容液Ｂの収納は、第１容器体１に組み付けた後でも、第１容器体１に組み付ける前のどちらでもかまわない。
【００２８】
また、内容液の吐出操作は、下記の手順で行われる。
第１内容液Ａを吐出したい場合には、第１吐出ノズル８が延出している横方向側に容器を傾け（図３参照）て、第１吐出ノズル８から第１内容液Ａを自重に従って吐出させる。この際、第２吐出ノズル２１は、回動ヘッド１８を回動操作して、第１吐出ノズル８とは反対側に位置させておくのがよい。
【００２９】
第２内容液Ｂを吐出したい場合には、第２吐出ノズル２１が延出している横方向側に容器を傾け（図４参照）て、第２吐出ノズル２１から第２内容液Ｂを自重に従って吐出させる。この際、第２吐出ノズル２１は、回動ヘッド１８を回動操作して、第１吐出ノズル８とは反対側に予め位置させておくのがよい。
【００３０】
そして、第１内容液Ａと第２内容液Ｂを同時に吐出したい場合には、回動ヘッド１８を回動調整して、第２吐出ノズル２１の向きを第１吐出ノズル８と同じにしておき、両吐出ノズル８，２１が延出している横方向側に容器を傾け（図５参照）て、第１吐出ノズル８から第１内容液Ａを、また第２吐出ノズル２１から第２内容液Ｂを、それぞれ吐出させる。
【００３１】
以上、実施形態例に沿って本発明の構成とその作用効果について説明したが、本発明の実施の形態は上記実施形態例に限定されるものではなく、例えば、第１キャップ体４に対する第２容器体１１の組み付けを、第１キャップ体４の起立筒１０に第２容器体１１の口部１３を一体設して達成するのではなく、口部１３を密に組み付けた第２キャップ体１４を、起立筒１０に密に組み付けることが可能であり、また両通気孔は、対応する吐出ノズルとは反対側に設ける構成としてもよく、さらに各吐出ノズルには、個々に開閉する栓キャップを着脱自在に組み付けるようにすることも可能である。
【産業上の利用可能性】
【００３２】
本発明の二液吐出容器は、分別して一体的に収納した二つの内容液の吐出態様を、望ましい状態に簡単に切り替え調整することができ、かつ二つの内容液をシンプルな外観体裁で収納することができるので、二液吐出容器としての用途展開をさらに広い領域で図ることができる。
【符号の説明】
【００３３】
１  ；第１容器体
２  ；胴筒部
３  ；口筒部
４  ；第１キャップ体
５  ；主体部
６  ；頂板
７  ；組付き筒部
８  ；第１吐出ノズル
９  ；第１通気孔
１０；起立筒
１１；第２容器体
１２；胴部
１３；口部
１４；第２キャップ体
１５；主体筒
１６；頂壁
１７；組付き筒
１８；回動ヘッド
１９；本体筒
２０；結合筒片
２１；第２吐出ノズル
２２；第２通気孔
Ａ  ；第１内容液
Ｂ  ；第２内容液
【図１】
0005776980.tif 000002
【図２】
0005776980.tif 000003
【図３】
0005776980.tif 000004
【図４】
0005776980.tif 000005
【図５】
0005776980.tif 000006